(57)【要約】【課題】上下方向に移動する扉にて貯蔵室の開口を開閉する際の扉の開閉を円滑に行うことができる扉開閉装置を提供する。【解決手段】扉６より前側において上下方向移動自在に設けられたカウンタ用の錘８と、回動軸２８と、中央部が回動軸を中心として回動自在に設けられた第１の連結アーム２６と、中央部が回動軸を中心として回動自在に設けられ、且つ、第１の連結アームと交差して回動可能とされた第２の連結アーム２７と、扉の下端の左右両側部に設けられた扉側係合溝１７、１８と、錘の左右両側部に設けられた錘側係合溝２１、２２とを備え、第１の連結アームの左端部を左側の扉側係合溝に回動且つ移動自在に係合し、当該第１の連結アームの右端を右側の錘側係合溝に回動且つ移動自在に係合すると共に、第２の連結アームの左端部を左側の錘側係合溝に回動且つ移動自在に係合し、当該第２の連結アームの右端を右側の扉側係合溝に回動且つ移動自在に係合する。【選択図】図４
2006038366.tif 000002
【特許請求の範囲】
【請求項１】
内部に貯蔵室が構成された貯蔵庫の前面に上下方向移動自在に設けられ、前記貯蔵室の前面開口を開閉自在に閉塞する扉と、
該扉より前側若しくは後側において前記貯蔵庫の前面に上下方向移動自在に設けられたカウンタ用の錘と、
前記貯蔵室の開口下方若しくは上方における前記貯蔵庫の前面に設けられた回動軸と、
中央部が前記回動軸を中心として回動自在に設けられた第１の連結アームと、
中央部が前記回動軸を中心として回動自在に設けられ、且つ、前記第１の連結アームと交差して回動可能とされた第２の連結アームと、
前記貯蔵室の開口を閉じた状態で前記回動軸側となる前記扉の一端の左右両側部に設けられた扉側係合溝と、
前記錘の左右両側部に設けられた錘側係合溝とを備え、
前記第１の連結アームの左端部を左側の前記扉側係合溝に回動且つ移動自在に係合し、当該第１の連結アームの右端を右側の前記錘側係合溝に回動且つ移動自在に係合すると共に、
前記第２の連結アームの左端部を左側の前記錘側係合溝に回動且つ移動自在に係合し、当該第２の連結アームの右端を右側の前記扉側係合溝に回動且つ移動自在に係合したことを特徴とする扉開閉装置。
【請求項２】
前記扉は下方に移動して前記貯蔵室の開口を開放すると共に、前記錘を前記扉よりも重くして前記扉の開放状態を保持する手段を設けたことを特徴とする請求項１の扉開閉装置。
【請求項３】
前記扉は下方に移動して前記貯蔵室の開口を開放すると共に、前記錘を前記扉よりも軽くして前記扉の閉鎖状態を保持する手段を設けたことを特徴とする請求項１の扉開閉装置。
【請求項４】
前記扉は上方に移動して前記貯蔵室の開口を開放すると共に、前記錘を前記扉よりも軽くして前記扉の開放状態を保持する手段を設けたことを特徴とする請求項１の扉開閉装置。
【請求項５】
前記扉は上方に移動して前記貯蔵室の開口を開放すると共に、前記錘を前記扉よりも重くして前記扉の閉鎖状態を保持する手段を設けたことを特徴とする請求項１の扉開閉装置。
【請求項６】
前記第１及び第２の連結アームの内の一方の連結アームは、前記回動軸に回動自在に取り付けられた外軸リングと、該外軸リングの前後面にそれぞれ固定され、当該外軸リングから相互に反対方向に延在する前側片及び後側片にて構成されると共に、
他方の連結アームは、前記外軸リングの周囲に回動自在に設けられ、且つ、当該外軸リングの左右に位置する部分は相互に前後方向に偏位し、前記前側片の後方及び前記後側片の前方に位置することを特徴とする請求項１、請求項２、請求項３、請求項４又は請求項５の扉開閉装置。
【発明の詳細な説明】
【技術分野】
【０００１】
本発明は、例えば製氷機や冷蔵庫などの貯蔵庫に適用され、内部に構成された貯蔵室の前面開口を上下方向に移動する扉にて開閉自在に閉塞する扉開閉装置に関するものである。
【背景技術】
【０００２】
従来よりホテルやレストランの厨房などで使用される自動製氷機では、例えば逆セル式製氷装置などで生成した氷を、本体内に構成された貯氷庫内に溜めておき、この貯氷庫の前面開口を開閉自在に閉塞する扉を開放して氷を取り出す構成とされている。また、この扉を回動式とすると開閉のためのスペースが必要となる関係上、この種製氷機では上下方向に移動する扉にて貯氷庫の開口を開閉するものが多い。
【０００３】
この場合、扉はプーリに張架されたワイヤーを介してカウンタ用の錘と連結されており、通常は扉は自重で降下し、貯氷庫の開口を閉じている。そして、開口を開放する際には扉を引き下げ、逆に錘は降下する構造とされていた。これにより、扉を楽に引き上げられるようにすると共に、急激に扉が降下することも防止していた（例えば、特許文献１参照）。
【特許文献１】特開２００３−２０６６６７号公報
【発明の開示】
【発明が解決しようとする課題】
【０００４】
しかしながら、このように扉と錘をワイヤーで連結する構造では、経年使用によってワイヤーが劣化し、変形や切断を生じる危険性がある。また、ワイヤーは伸縮するため、どうしても扉の上下動に対する錘の追従性に問題があり、動作を円滑に行わせるために面倒な調整を強いられる問題もあった。
【０００５】
本発明は、係る従来の技術的課題を解決するために成されたものであり、上下方向に移動する扉にて貯蔵室の開口を開閉する際の扉の開閉を円滑に行うことができる扉開閉装置を提供するものである。
【課題を解決するための手段】
【０００６】
本発明の扉開閉装置は、内部に貯蔵室が構成された貯蔵庫の前面に上下方向移動自在に設けられ、貯蔵室の前面開口を開閉自在に閉塞する扉と、この扉より前側若しくは後側において貯蔵庫の前面に上下方向移動自在に設けられたカウンタ用の錘と、貯蔵室の開口下方若しくは上方における貯蔵庫の前面に設けられた回動軸と、中央部が回動軸を中心として回動自在に設けられた第１の連結アームと、中央部が回動軸を中心として回動自在に設けられ、且つ、第１の連結アームと交差して回動可能とされた第２の連結アームと、貯蔵室の開口を閉じた状態で回動軸側となる扉の一端の左右両側部に設けられた扉側係合溝と、錘の左右両側部に設けられた錘側係合溝とを備え、第１の連結アームの左端部を左側の扉側係合溝に回動且つ移動自在に係合し、当該第１の連結アームの右端を右側の錘側係合溝に回動且つ移動自在に係合すると共に、第２の連結アームの左端部を左側の錘側係合溝に回動且つ移動自在に係合し、当該第２の連結アームの右端を右側の扉側係合溝に回動且つ移動自在に係合したことを特徴とする。
【０００７】
請求項２の発明の扉開閉装置は、上記において扉は下方に移動して貯蔵室の開口を開放すると共に、錘を扉よりも重くして扉の開放状態を保持する手段を設けたことを特徴とする。
【０００８】
請求項３の発明の扉開閉装置は、請求項１において扉は下方に移動して貯蔵室の開口を開放すると共に、錘を扉よりも軽くして扉の閉鎖状態を保持する手段を設けたことを特徴とする。
【０００９】
請求項４の発明の扉開閉装置は、請求項１において扉は上方に移動して貯蔵室の開口を開放すると共に、錘を扉よりも軽くして扉の開放状態を保持する手段を設けたことを特徴とする。
【００１０】
請求項５の発明の扉開閉装置は、請求項１において扉は上方に移動して貯蔵室の開口を開放すると共に、錘を扉よりも重くして扉の閉鎖状態を保持する手段を設けたことを特徴とする。
【００１１】
請求項６の発明の扉開閉装置は、上記各発明において第１及び第２の連結アームの内の一方の連結アームは、回動軸に回動自在に取り付けられた外軸リングと、この外軸リングの前後面にそれぞれ固定され、当該外軸リングから相互に反対方向に延在する前側片及び後側片にて構成されると共に、他方の連結アームは、外軸リングの周囲に回動自在に設けられ、且つ、当該外軸リングの左右に位置する部分は相互に前後方向に偏位し、前側片の後方及び後側片の前方に位置することを特徴とする。
【発明の効果】
【００１２】
本発明の扉開閉装置では、内部に貯蔵室が構成された貯蔵庫の前面に上下方向移動自在に設けられ、貯蔵室の前面開口を開閉自在に閉塞する扉と、この扉より前側若しくは後側において貯蔵庫の前面に上下方向移動自在に設けられたカウンタ用の錘と、貯蔵室の開口下方若しくは上方における貯蔵庫の前面に設けられた回動軸と、中央部が回動軸を中心として回動自在に設けられた第１の連結アームと、中央部が回動軸を中心として回動自在に設けられ、且つ、第１の連結アームと交差して回動可能とされた第２の連結アームと、貯蔵室の開口を閉じた状態で回動軸側となる扉の一端の左右両側部に設けられた扉側係合溝と、錘の左右両側部に設けられた錘側係合溝とを備え、第１の連結アームの左端部を左側の扉側係合溝に回動且つ移動自在に係合し、当該第１の連結アームの右端を右側の錘側係合溝に回動且つ移動自在に係合すると共に、第２の連結アームの左端部を左側の錘側係合溝に回動且つ移動自在に係合し、当該第２の連結アームの右端を右側の扉側係合溝に回動且つ移動自在に係合したので、貯蔵室の開口を閉じた状態から扉を下方若しくは上方に移動させて開口を開放していくと、両連結アームは相互に重合する方向に回動され、それによって錘は上方若しくは下方に移動される。また、貯蔵室の開口を開放した状態から扉を上方若しくは下方に移動させて開口をとじていくと、両連結アームは逆方向に回動され、それによって錘は下方若しくは上方に移動される。
【００１３】
これにより、扉の急激な上下移動を防止することができるようになり、扉の急激な落下を防止し、且つ、扉を上方に移動させる際に必要となる力を削減して操作性を向上させることができるようになる。特に、この場合従来の如くワイヤーとプーリーにて扉と錘を連結する構造ではないので、耐久性も向上すると共に、扉の移動に対する錘も追従性の問題も無くなり、開閉動作が円滑化されるものである。
【００１４】
この場合、請求項２の発明の如く扉を下方に移動させて貯蔵室の開口を開放する場合には、錘を扉よりも重くして扉の開放状態を保持する手段を設ければ、錘にて扉の閉鎖状態を維持しながら、開放状態も保持することができる。この場合、扉と錘の重量差を小さくすることにより、扉を下方に移動させて開口を開放するために要する力を削減して容易に開放できるようになると共に、開口を閉じる際には錘にて自動的に閉じることができる。この場合にも、扉の急激な上昇は防止される。
【００１５】
逆に、請求項３の発明の如く錘を扉よりも軽くして扉の閉鎖状態を保持する手段を設ければ、扉の閉鎖状態を保持しながら、開口を開く際には扉を自重にて下方に移動させ、貯蔵室の開口を自動開放させることが可能となる。この場合も、扉と錘の重量差を小さくすることにより、扉の急激な落下を防止することが可能となると共に、開口を閉じる際に要する力も削減して容易に閉鎖することができるようになる。
【００１６】
また、請求項４の発明の如く扉を上方に移動させて貯蔵室の開口を開放する場合には、錘を扉よりも軽くして扉の開放状態を保持する手段を設けることにより、自重にて扉の閉鎖状態を維持しながら、開放状態も保持することができる。この場合、扉と錘の重量差を小さくすることにより、扉を上方に移動させて開口を開放するために要する力を削減して容易に開放できるようになると共に、開口を閉じる際には自重にて自動的に閉じることができる。この場合にも、扉の急激な落下は防止される。
【００１７】
逆に、請求項５の如く錘を扉よりも重くして扉の閉鎖状態を保持する手段を設ければ、扉の閉鎖状態を保持しながら、開口を開く際には扉を錘にて上方に移動させ、貯蔵室の開口を自動開放させることが可能となる。この場合も、扉と錘の重量差を小さくすることにより、扉の急激な上昇を防止することが可能となると共に、開口を閉じる際に要する力も削減して容易に閉鎖することができるようになる。
【００１８】
特に、請求項６の発明の如く第１及び第２の連結アームの内の一方の連結アームを、回動軸に回動自在に取り付けられた外軸リングと、この外軸リングの前後面にそれぞれ固定され、当該外軸リングから相互に反対方向に延在する前側片及び後側片にて構成すると共に、他方の連結アームを、外軸リングの周囲に回動自在に設け、且つ、当該外軸リングの左右に位置する部分が相互に前後方向に偏位し、前側片の後方及び後側片の前方に位置するように構成することで、比較的単純な構成で扉の開閉に伴う連結アームの動作を円滑且つ確実なものとすることができるようになるものである。
【発明を実施するための最良の形態】
【００１９】
以下、図面に基づき本発明の実施例形態を詳述する。図１は本発明を適用した貯蔵庫の実施例としての製氷機１の正面図、図２は製氷機１の側面図、図３は製氷機１の背面図、図４は製氷機１の平面図、図５は本発明の扉開閉装置２の正面図、図６は同側面図、図７は枠体３を撤去した状態の扉開閉装置２の正面図、図８は同側面図、図９は扉開閉装置２の扉６と連結装置７及び錘８の平面図、図１０は図９の分解図をそれぞれ示している。
【００２０】
製氷機１の本体１１は断熱箱体から構成されており、この本体１１内最上部に図示しない所謂逆セル式の製氷装置が内蔵されている。そして、この製氷装置の下方に位置して本体１１内に貯蔵室１２が構成されると共に、この貯蔵室１２は本体１１の前面中央上寄りの位置において開口（１３で示す）している。また、本体１１の下部には前記製氷装置を冷却するための図示しない冷却装置が設置される機械室１３が構成されている。そして、冷却装置で冷却される製氷装置にて自動生成された氷は、当該製氷装置から落下して下方の貯蔵室１２内に貯氷されることになる。
【００２１】
本発明の扉開閉装置２は、この貯蔵室１２の前面開口１３を開閉自在に閉塞するものである。この扉開閉装置２は、前記貯蔵室１２の前面開口１３の周囲を囲繞し、更に下方に延在するよう本体１１の前面に取り付けられた額縁状の枠体３と、この枠体３内に填め込まれた扉６及びカウンタ用の錘８と、これら扉６及び錘８とを連結する連結装置７等から構成されている。また、本体１１前面の前面開口１３周囲及び下側には、枠体３や連結装置７、錘８や下方に移動した状態の扉６を被覆するカバー４が取り付けられている。
【００２２】
前記扉６は、上下方向に移動して前記貯蔵室１２の前面開口１３を開閉可能な面積及び厚さ寸法を有した透明硬質樹脂板材から構成されており、その上縁部には把手１４が取り付けられており、下端部（扉６の後述する回動軸２８側の端部）には連結用の金具１６が取り付けられて一体化されている。そして、この金具１６の左右両側端部には扉側係合溝１７、１８が水平方向に所定の長さで構成されている。
【００２３】
前記錘８は、所定重量の横長ステンレス板材にて構成されており、その左右両側端部には錘側係合溝２１、２２が水平方向に所定の長さで構成されている。そして、これら扉６及び錘８は、上下方向に水平移動するように枠体３内に上下方向に移動自在に保持されている。この場合、扉６が貯蔵室１２の前面開口１３を閉じた状態では、扉６は枠体３の最上部に位置しており、錘８は扉６より前側に位置して枠体３の最下部に位置している。また、この実施例では錘８の重量Ｗ１は扉６の重量（把手１４及び金具１６を含んだ重量）Ｗ２よりも重く、且つ、その差は小さく設定されているものとする（Ｗ１＞Ｗ２）。
【００２４】
一方、前記連結装置７は所謂パンタグラフ式の装置であり、ステンレス板製の第１及び第２の連結アーム２６、２７と、ステンレス製の回動軸２８及び取付板３１と、ポリアセタール樹脂板から成るワッシャ３２〜３４と、ステンレス製のボス３６・・・及びカラー３７・・・等から構成されている。この場合、取付板３１は所定幅を有した縦長形状を呈しており、その下端が枠体３の下辺３Ａ中央部に固定されると共に、そこから前側に階段状に前進した後上昇し、上端は前面開口１３の下縁部に位置する枠体３の中間辺３Ｂ中央部に固定されている。また、取付板３１の後面下部には板バネ材から成るストッパーＳが取り付けられている。
【００２５】
そして、この取付板３１の後面（本体１１側）の上下方向の略中央部に前記回動軸２８が固定される。前記第１の連結アーム２６の中央には円形の透孔２６Ａが形成されており、この透孔２６Ａから向かって右方の部分２６Ｂが前側に、左方の部分２６Ｃが後側に階段状に屈曲されて偏位した形状を呈している。そして、上記透孔２６Ａ内に後述する外軸リング３９が回動自在に填め込まれると共に、外軸リング３９は前記回動軸２８の周囲に回動自在に填め込まれる。
【００２６】
他方、前記第２の連結アーム２７は上記外軸リング３９と、何れも一端に角穴Ｈを有する前側片２７Ａと後側片２７Ｂとから成り、外軸リング３９の前後面中央に突出形成された角突起３９Ａ、３９Ｂを前記角穴Ｈ内に係合させた状態で、前側辺２７Ａは外軸リング３９の前面に、後側片２７Ｂは外軸リング３９の後面に固定されて一体化される。この場合、前側片２７Ａと後側片２７Ｂは外軸リング３９から相互に反対方向に延在するように取り付けられる。
【００２７】
この場合、第１の連結アーム２６の部分２６Ｃは第２の連結アーム２７の前側片２７Ａより後方に位置し、部分２６Ｂは後側片２７Ｂより前方に位置する。これにより、第１の連結アーム２６と第２の連結アーム２７は回動軸２８を中心とし、独立して回動自在となると共に、両連結アーム２６、２７は相互に交差して回動可能となる。
【００２８】
前記ワッシャ３２、３３は第２の連結アーム２７の前側片２７Ａと第１の連結アーム２６間、及び、後側片２７Ｂと第１の連結アーム２６間に介設され、ワッシャ３４は前側片２７Ａと取付板３１間に介設されて何れも両連結アーム２６、２７及び取付板３１相互間の摩擦を低減する役割を果たす。また、前記ボス３６はカラー３７を介して第１の連結アーム２６の両端部及び第２の連結アーム２７の両端部（前側片２７Ａと後側片２７Ｂの先端部）に取り付けられる。これによって、扉６と錘８は連結装置７により連結される。
【００２９】
そして、実施例では第１の連結アーム２６の向かって左側のボス３６が金具１６の向かって左側の扉側係合溝１７に回動且つ移動自在に係合され、向かって右側のボス３６が向かって右側の錘側係合溝２２に回動且つ移動自在に係合される。また、第２の連結アーム２７の向かって左側のボス３６（前側片２７Ａ先端のボス３６）が向かって左側の錘側係合溝２１に回動且つ移動自在に係合されると共に、向かって右側のボス３６（後側片２７Ｂ先端のボス３６）が向かって右側の扉側係合溝１８に回動且つ移動自在に係合される。
【００３０】
以上の構成で、次に本発明の扉開閉装置２の動作について図５乃至図８及び図１１乃至図１６を参照して説明する。図５乃至図８は扉６が貯蔵室１２の前面開口１３を閉じた状態である。この状態では扉６は貯蔵室１２の前面開口１３の前方に位置し、枠体３の最上部に位置しており、錘８は枠体３の最下部に位置している。また、連結装置７の第１の連結アーム２６は向かって左上から右下に延在しており、第２の連結アーム２７は向かって右上から左下に延在している（後側片２７Ｂが右上、前側片２７Ａが左下）。また、各ボス３６・・・は各係合溝１７、１８、２１、２２の最も内側の位置にある。
【００３１】
この場合、前述した如く錘８の重量Ｗ１は扉６の重量Ｗ２よりも少許重く設定されているので、錘８の重量により扉６は前面開口１３を閉じた状態を維持されることになる。貯蔵室１２から氷を取り出す際には、この状態から把手１４を持って扉６を引き下げ、下方に移動させる。すると、第１の連結アーム２６は図７中反時計回りに、第２の連結アーム２７は同図中時計回りに、即ち、相互に重合する方向に回動していき、各ボス３６・・・は各係合溝１７、１８、２１、２２内を外側に向かって移動していく。
【００３２】
そして、図１１及び図１２に示すように扉６により前面開口１３をちょうど半開きにしたときに両連結アーム２６、２７は水平方向で重合し、各ボス３６・・・は各係合溝１７、１８、２１、２２の最も外側の位置に移動する。このとき、第１の連結アーム２６の部分２６Ｂは第２の連結アーム２７の後側片２７Ｂの前方に合致し、第１の連結アーム２６の部分２６Ｃは第２の連結アーム２７の前側片２７Ａの後方に合致する。
【００３３】
そして、更に扉６を引き下げていき、図１３乃至図１６のように把手１４が前面開口１３を下縁（中央辺３Ｂの前側）まで降下したところで、開口１３は全開となる。この状態では、扉６はカバー４の後方の本体１１側に降下し、錘８は把手１４直下の扉６前側に上昇する。また、扉６の金具１６はストッパーＳの後方に位置し、ストッパーＳはこの金具１６に圧接する。前述した如く錘８の重量Ｗ１のほうが扉６の重量Ｗ２よりも重いため、手を話すとそのままでは扉６は錘８の重量によって自動的に上昇し、閉じられてしまうが、ストッパーＳが金具１６に圧接することで、扉６の開放状態は保持されることになる。
【００３４】
そして、貯蔵室１２からの氷の取り出しが終了したら、把手１４を持って扉６を少許持ち上げる。すると金具１６がストッパーＳより上方に移動するので、保持状態は解除され、その後は手を離しても扉６は錘８の重量により自動的に上昇していく。そして、最終的に扉６は図５乃至図８の如く貯蔵室１２の前面開口１３を閉じることになる。
【００３５】
このような構成としたことにより、扉６の急激な上下移動を防止することができるようになると共に、錘８にて扉６の閉鎖状態を維持しながら、開放状態もストッパーＳにて保持することができる。また、扉６と錘８の重量差は小さくされているので、扉６を下方に移動させて貯蔵室１２の前面開口１３を開放するために要する力を削減して容易に開放できるようになると共に、前面開口１３を閉じる際には錘８にて自動的に閉じることができるので操作性も良好となり、且つ、扉６の急激な上昇も防止される。
【００３６】
特に、従来の如くワイヤーとプーリーにて扉６と錘８を連結する構造ではないので、耐久性も向上すると共に、扉６が移動すれば錘８も連動して追従していくことになるので、従来の如き追従性の問題も生じなくなり、開閉動作が円滑化される。
【００３７】
また、第２の連結アーム２７を、回動軸２８に回動自在に取り付けられた外軸リング３９と、この外軸リング３９の前後面にそれぞれ固定され、当該外軸リング３９から相互に反対方向に延在する前側片２７Ａ及び後側片２７Ｂにて構成すると共に、第１の連結アーム２６を、外軸リング３９の周囲に回動自在に設け、且つ、当該外軸リング３９の左右に位置する部分が相互に前後方向に偏位し、その部分２６Ｃが前側片２７Ａの後方に、部分２６Ｂが後側片２７Ｂの前方に位置するように構成しているので、比較的単純な構成であるにも拘わらず、扉６の開閉に伴う連結アーム２６、２７の動作が円滑且つ確実なものとなる。
【００３８】
ここで、実施例では錘８の重量Ｗ１を扉６の重量Ｗ２よりも少許重くしたが、それにそれに限らず、錘８の重量Ｗ１を扉６の重量Ｗ２よりも軽くして（Ｗ１＜Ｗ２）もよい。その場合には、扉６が前面開口１３を閉じた状態を保持するためのストッパーを設ける必要がある。そして、係る構成とすれば、扉６の閉鎖状態を保持しながら、前面開口１３を開く際には扉６を自重にて下方に移動させ、貯蔵室１２の前面開口１３を自動開放させることが可能となる。この場合も、扉６と錘８の重量差を小さくすることにより、扉６の急激な落下を防止することが可能となると共に、前面開口１３を閉じる際に要する力も削減して容易に閉鎖することができるようになる。
【００３９】
また、実施例では扉６を降下させて前面開口１３を開放するようにしたが、扉６を上方に移動（上昇）させて前面開口１３を開放するようにしてもよい。その場合には、扉６の閉鎖状態で錘８はその上方に位置し、回動軸２８や連結アーム２６、２７、取付板３１などを含む連結装置７も前面開口１３の上方の本体１１前面に設けられることになる。
【００４０】
そして、係る構造で錘８の重量Ｗ１を扉６の重量Ｗ２よりも軽くし、扉６の開放状態を保持するストッパーを設ければ、自重にて扉６の閉鎖状態を維持しながら、ストッパーにより開放状態も保持することができるようになる。この場合も、扉６と錘８の重量差を小さくすることにより、扉６を上方に移動させて前面開口１３を開放するために要する力を削減して容易に開放できるようになると共に、前面開口１３を閉じる際には自重にて自動的に閉じることができ、且つ、扉６の急激な落下も防止される。
【００４１】
逆に、錘８の重量Ｗ１を扉６の重量Ｗ２よりも重くして扉６の閉鎖状態を保持するストッパーを設ければ、扉６の閉鎖状態を保持しながら、前面開口１３を開く際には扉６を錘８にて上方に移動させ、貯蔵室１２の前面開口１３を自動開放させることが可能となる。この場合も、扉６と錘８の重量差を小さくすることにより、扉６の急激な上昇を防止することが可能となると共に、前面開口１３を閉じる際に要する力も削減して容易に閉鎖することができるようになる。
【００４２】
また、図面にて説明した実施例では第２の連結アーム２７を外軸リング３９と前側片２７Ａ、後側片２７Ｂの三部品で構成したが、それに限らず、第１の連結アーム２６を係る構成とし、第２の連結アーム２７を一部品で構成してもよい。更に、実施例では錘８が扉６の前側に来るようにしたが、その逆に錘８が扉６の後側（本体１１側）に来る構造でも可能である。
【００４３】
更にまた、実施例では製氷機を例にとって説明したが、それに限らず、冷蔵庫などの前面開口を開閉する扉開閉装置にも本発明は有効である。
【図面の簡単な説明】
【００４４】
【図１】本発明を適用した貯蔵庫の実施例としての製氷機の正面図である。
【図２】図１の製氷機の側面図である。
【図３】図１の製氷機の背面図である。
【図４】図１の製氷機の平面図である。
【図５】扉を閉じた状態の本発明の扉開閉装置の正面図である。
【図６】図５の扉開閉装置の側面図である。
【図７】枠体を撤去した状態の図５の扉開閉装置の正面図である。
【図８】図７の扉開閉装置の側面図である。
【図９】本発明の扉開閉装置の扉と連結装置及び錘の平面図である。
【図１０】図９の分解図である。
【図１１】扉を半開きにした状態の本発明の扉開閉装置の正面図である。
【図１２】図１１の扉開閉装置の側面図である。
【図１３】扉を開いた状態の本発明の扉開閉装置の正面図である。
【図１４】図１３の扉開閉装置の側面図である。
【図１５】枠体を撤去した状態の図１３の扉開閉装置の正面図である。
【図１６】図１５の扉開閉装置の側面図である。
【符号の説明】
【００４５】
１  製氷機
２  扉開閉装置
３  枠体
４  カバー
６  扉
７  連結装置
８  錘
１１  本体
１２  貯蔵室
１３  前面開口
１４  把手
１６、１７  扉側係合溝
２１、２２  錘側係合溝
２６  第１の連結アーム
２７  第２の連結アーム
２７Ａ  前側片
２７Ｂ  後側片
２８  回動軸
３１  取付板
３６  ボス
３９  外軸リング
Ｓ  ストッパー
【図１】
2006038366.tif 000003
【図２】
2006038366.tif 000004
【図３】
2006038366.tif 000005
【図４】
2006038366.tif 000006
【図５】
2006038366.tif 000007
【図６】
2006038366.tif 000008
【図７】
2006038366.tif 000009
【図８】
2006038366.tif 000010
【図９】
2006038366.tif 000011
【図１０】
2006038366.tif 000012
【図１１】
2006038366.tif 000013
【図１２】
2006038366.tif 000014
【図１３】
2006038366.tif 000015
【図１４】
2006038366.tif 000016
【図１５】
2006038366.tif 000017
【図１６】
2006038366.tif 000018